(57)【要約】【課題】屋内の一部の領域における過加湿の発生を抑制するように、屋内の湿度及び循環風量を調整可能な空調機構を制御する空調制御システムを提供する。【解決手段】空調制御システム１０は、将来の第１時期における屋内の複数領域それぞれの相対湿度を予測する予測部１２０と、予測部１２０により予測された屋内の複数領域のうちの一の領域の相対湿度が所定上限値より高い場合には、予測部１２０により予測されたその一の領域の相対湿度と予測部１２０により予測された他の領域の相対湿度との差に応じて加湿量及び循環風量の少なくとも一方に係る制御内容を特定し、特定した制御内容で第１時期より早い第２時期に空調機構５０を制御する制御部１３０とを備える。【選択図】図１
2017101859.tif 000002
【特許請求の範囲】
【請求項１】
屋内の湿度及び循環風量を調整可能な空調機構を制御する空調制御システムであって、
将来の第１時期における屋内の複数領域それぞれの相対湿度を予測する予測部と、
前記予測部により予測された前記複数領域のうちの一の領域の相対湿度が所定上限値より高い場合には、前記予測部により予測された当該一の領域の相対湿度と前記予測部により予測された他の領域の相対湿度との差に応じて加湿量及び循環風量の少なくとも一方に係る制御内容を特定し、特定した制御内容で前記第１時期より早い第２時期に前記空調機構を制御する制御部とを備える
空調制御システム。
【請求項２】
屋内の前記複数領域は、第１領域及び第２領域を含み、
前記制御部は、前記予測部により予測された前記第１領域の相対湿度が前記所定上限値より高い場合において、前記予測部により予測された前記第１領域の相対湿度と前記予測部により予測された前記第２領域の相対湿度との差が所定閾値より大きいときには、屋内の循環風量を増加させることを前記制御内容として特定する
請求項１記載の空調制御システム。
【請求項３】
前記制御部は、前記予測部により予測された前記第１領域の相対湿度が前記所定上限値より高い場合において、前記予測部により予測された前記第１領域の相対湿度と前記予測部により予測された前記第２領域の相対湿度との差が前記所定閾値より小さいときには、屋内の循環風量を増加させずに加湿量を低減させることを前記制御内容として特定する
請求項２記載の空調制御システム。
【請求項４】
前記空調制御システムは、前記第１領域に水蒸気を発生させる機能が機器により実行される予定の時期を示す予定情報を取得する予定情報取得部を備え、
前記予測部は、前記予定情報取得部により取得された前記予定情報が示す時期に前記機器により発生する水蒸気の量を、特定して用いることで、前記予測を行う
請求項２又は３記載の空調制御システム。
【請求項５】
前記予定情報は、更に、前記第１領域に水蒸気を発生させる機能が前記機器により実行される予定の時期に当該機能により発生する水蒸気量を特定する情報を含み、
前記予測部は、前記予定情報取得部により取得された前記予定情報により特定される水蒸気量を用いて前記第１時期における前記第１領域の相対湿度についての前記予測を行う
請求項４記載の空調制御システム。
【請求項６】
前記予測部は、前記予定情報取得部により取得された前記予定情報が示す時期に応じて前記第１時期を定めて、前記予測を行う
請求項４又は５記載の空調制御システム。
【請求項７】
前記予測部は、前記第１領域及び前記第２領域それぞれについて、当該領域の相対湿度及び温度を測定した測定結果を取得して当該測定結果に基づいて当該領域の水蒸気量を算定し、前記第１時期における当該領域の温度を推定し、前記第１時期までに水蒸気が発生すると推測される場合においては、当該発生する水蒸気の量と前記算定した水蒸気量との和及び前記推定した前記第１時期における当該領域の温度から、前記第１時期における当該領域の相対湿度を予測し、前記第１時期までに水蒸気が発生すると推測されない場合においては、前記算定した水蒸気量及び前記推定した前記第１時期における当該領域の温度から、前記第１時期における当該領域の相対湿度を予測する
請求項２〜６のいずれか一項に記載の空調制御システム。
【請求項８】
前記空調制御システムは、将来における屋外の気温を示す気象予報情報を取得する気象予報情報取得部を備え、
前記予測部は、前記気象予報情報に基づいて、前記第１時期における前記第１領域及び前記第２領域それぞれの温度の前記推定を行う
請求項７に記載の空調制御システム。
【請求項９】
前記第１領域及び前記第２領域は屋内の互いに別の部屋であり、
前記空調制御システムは、屋内の各部屋の断熱性能を示す断熱性能情報を取得する断熱性能情報取得部を備え、
前記予測部は、前記第１領域及び前記第２領域それぞれについて、前記断熱性能情報が示す当該領域に係る断熱性能を用いて、前記気象予報情報が示す気温から前記第１時期における当該領域の温度の前記推定を行う
請求項８記載の空調制御システム。
【請求項１０】
前記制御部は、屋内の循環風量を増加させることを前記制御内容として特定する場合において、前記予測部により予測された前記第１領域の相対湿度と前記予測部により予測された前記第２領域の相対湿度との差に応じて前記第２時期を特定して、特定した前記第２時期に前記空調機構を制御する
請求項２記載の空調制御システム。
【請求項１１】
前記制御部は、前記予測部により予測された前記複数領域のうちの一の領域の相対湿度が所定上限値より高い場合において、前記予測部により予測された当該一の領域の相対湿度と前記予測部により予測された他のいずれかの領域の相対湿度との差が所定閾値より大きいときには、屋内の循環風量を増加させることを前記制御内容として特定し、当該一の領域の相対湿度と前記予測部により予測された他のいずれかの領域の相対湿度との差が前記所定閾値より小さいときには屋内の循環風量を増加させずに加湿量を低減させることを前記制御内容として特定する
請求項１記載の空調制御システム。
【請求項１２】
前記空調制御システムは、屋内に所定量の水蒸気を発生させる機能が機器により実行される予定の時期を示す予定情報を取得する予定情報取得部を備え、
前記予測部は、前記予定情報取得部により取得された前記予定情報が示す時期に前記機器により前記所定量の水蒸気が発生することに基づいて、前記予測を行う
請求項１又は１１記載の空調制御システム。
【請求項１３】
屋内の湿度及び循環風量を調整可能な空調機構を制御する空調制御方法であって、
将来の第１時期における屋内の複数領域それぞれの相対湿度を予測する予測ステップと、
前記予測ステップで予測された前記複数領域のうちの一の領域の相対湿度が所定上限値より高い場合には、前記予測ステップで予測された当該一の領域の相対湿度と前記予測ステップで予測された他の領域の相対湿度との差に応じて加湿量及び循環風量の少なくとも一方に係る制御内容を特定し、特定した制御内容で前記第１時期より早い第２時期に前記空調機構を制御する制御ステップとを含む
空調制御方法。
【請求項１４】
プロセッサを備える制御装置に、屋内の湿度及び循環風量を調整可能な空調機構を制御する空調制御処理を実行させるための制御プログラムであって、
前記空調制御処理は、
将来の第１時期における屋内の複数領域それぞれの相対湿度を予測する予測ステップと、
前記予測ステップで予測された前記複数領域のうちの一の領域の相対湿度が所定上限値より高い場合には、前記予測ステップで予測された当該一の領域の相対湿度と前記予測ステップで予測された他の領域の相対湿度との差に応じて加湿量及び循環風量の少なくとも一方に係る制御内容を特定し、特定した制御内容で前記第１時期より早い第２時期に前記空調機構を制御する制御ステップとを含む
制御プログラム。
【発明の詳細な説明】
【技術分野】
【０００１】
本発明は、空調機構の制御を行う空調制御システム、並びに、この空調制御システムで用いられる空調制御方法及び制御プログラムに関する。
【背景技術】
【０００２】
従来、予測気温等を示す天気予報に係る気象情報等から室内（空調空間）の温度及び湿度を予測することで空調動作（除湿運転等）を開始すべき時間帯を予測する空調管理システムが知られている（特許文献１参照）。
【先行技術文献】
【特許文献】
【０００３】
【特許文献１】特開２０１５−１４４１１号公報
【発明の概要】
【発明が解決しようとする課題】
【０００４】
ところで、住宅等の建築物の内部（屋内）で全館空調システム等の空調機構により加湿を行うことは、乾燥を防止する等のために有用である。この場合に、空調機構は、屋内の相対湿度を人にとって快適な範囲に保つことが望ましく、過剰な加湿は人に不快感を与え得る。
【０００５】
しかし、上述した特許文献１の技術を用いて、気象情報等から住宅等の建築物の内部（屋内）の温度及び湿度を予測して空調機構を制御しても、屋内の一部の部屋（領域）における相対湿度が快適な範囲を超過する可能性がある。例えば、屋内の各部屋（各領域）の断熱性能は相違するので、一部の領域だけが特に低い温度になったような場合にその領域の相対湿度が上昇して快適な範囲を超過し得る。このような過剰な湿度は、その領域に居る人に不快感を与え得る。また、炊飯、風呂の沸き上げ等により屋内の一部の領域に一時的に多量の水蒸気が発生した場合にも同様である。このような場合にセンサ等で相対湿度の上昇を検知してから空調機構の制御（例えば加湿量を低減させる制御）を行っても、相対湿度は急速に変化しないため、しばらくの間は人に不快感を与える。
【０００６】
そこで、本発明は、屋内の一部の領域における加湿過剰（過加湿）の発生を抑制するように、屋内の湿度及び循環風量を調整可能な空調機構を制御する空調制御システムを提供することを目的とする。また、本発明は、この空調制御システムで用いられる空調制御方法及び制御プログラムを提供することを目的とする。
【課題を解決するための手段】
【０００７】
上記目的を達成するために本発明の一態様に係る空調制御システムは、屋内の湿度及び循環風量を調整可能な空調機構を制御する空調制御システムであって、将来の第１時期における屋内の複数領域それぞれの相対湿度を予測する予測部と、前記予測部により予測された前記複数領域のうちの一の領域の相対湿度が所定上限値より高い場合には、前記予測部により予測された当該一の領域の相対湿度と前記予測部により予測された他の領域の相対湿度との差に応じて加湿量及び循環風量の少なくとも一方に係る制御内容を特定し、特定した制御内容で前記第１時期より早い第２時期に前記空調機構を制御する制御部とを備える。
【０００８】
また、上記目的を達成するために本発明の一態様に係る空調制御方法は、屋内の湿度及び循環風量を調整可能な空調機構を制御する空調制御方法であって、将来の第１時期における屋内の複数領域それぞれの相対湿度を予測する予測ステップと、前記予測ステップで予測された前記複数領域のうちの一の領域の相対湿度が所定上限値より高い場合には、前記予測ステップで予測された当該一の領域の相対湿度と前記予測ステップで予測された他の領域の相対湿度との差に応じて加湿量及び循環風量の少なくとも一方に係る制御内容を特定し、特定した制御内容で前記第１時期より早い第２時期に前記空調機構を制御する制御ステップとを含む。
【０００９】
また、上記目的を達成するために本発明の一態様に係る制御プログラムは、プロセッサを備える制御装置に、屋内の湿度及び循環風量を調整可能な空調機構を制御する空調制御処理を実行させるための制御プログラムであって、前記空調制御処理は、将来の第１時期における屋内の複数領域それぞれの相対湿度を予測する予測ステップと、前記予測ステップで予測された前記複数領域のうちの一の領域の相対湿度が所定上限値より高い場合には、前記予測ステップで予測された当該一の領域の相対湿度と前記予測ステップで予測された他の領域の相対湿度との差に応じて加湿量及び循環風量の少なくとも一方に係る制御内容を特定し、特定した制御内容で前記第１時期より早い第２時期に前記空調機構を制御する制御ステップとを含む。
【発明の効果】
【００１０】
本発明の一態様に係る空調制御システム、空調制御方法によれば、屋内の一部の領域における過加湿の発生が抑制される。また、本発明の一態様に係る制御プログラムが実行されて屋内で空調制御が実施されることにより、屋内の一部の領域における過加湿の発生が抑制される。
【図面の簡単な説明】
【００１１】
【図１】実施の形態１に係る空調制御システムの概略構成を示す図である。
【図２】温湿度センサから取得する測定結果（温度及び湿度）の一例を示す図である。
【図３】水蒸気を発生させる機能の実行予定に係る予定情報の一例を示す図である。
【図４】実施の形態１に係る制御装置における空調制御処理の一例を示すフローチャートである。
【図５】実施の形態１に係る制御装置における予測処理の一例を示すフローチャートである。
【図６】予測相対湿度差と制御タイミングとを対応付けた対応情報の一例を示す図である。
【図７Ａ】調理室（キッチン）の相対湿度の変化を例示するグラフである。
【図７Ｂ】リビングルーム（リビング）の相対湿度の変化を例示するグラフである。
【図８】実施の形態２に係る空調制御システムの概略構成を示す図である。
【図９】気象予報情報の一例を示す図である。
【図１０】断熱性能情報の一例を示す図である。
【図１１】外気温と屋内の領域の温度との関係を示す概念図である。
【図１２】実施の形態２に係る制御装置における空調制御処理の一例を示すフローチャートである。
【図１３】実施の形態２に係る制御装置における予測処理の一例を示すフローチャートである。
【図１４Ａ】キッチンの温度及び相対湿度の変化を例示するグラフである。
【図１４Ｂ】リビングの温度及び相対湿度の変化を例示するグラフである。
【発明を実施するための形態】
【００１２】
（実施の形態１）
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
以下、本発明の一実施形態に係る空調制御システムについて説明する。
【００１４】
（構成）
図１は、本実施の形態に係る空調制御システム１０の概略構成を示す図である。同図の例は、建築物である住宅２０の内部（屋内）に設けられた空調制御システム１０の各構成要素を示している。
【００１５】
空調制御システム１０は、空調機構５０、制御装置１００及び温湿度センサ７１ａ、７１ｂを含んで構成され、屋内の一部の領域が過加湿の状態となることを抑制する機能を有する。
【００１６】
空調機構５０は、住宅２０の内部（屋内）の複数領域の空気の温度及び湿度を調整するための全館空調システムである。空調機構５０は、更に領域間で空気を循環させる機能を有する。屋内の各領域は、例えば、調理室（キッチン）、リビングルーム（リビング）、浴室、寝室、玄関、廊下等といった部屋である。なお、図１では、キッチンに機器８０（炊飯器）が配置されている例を示している。この機器８０は、水蒸気を発生する機能を有する機器の一例を表しており、水蒸気を発生する機器には、炊飯器の他に、例えば、食器洗浄機、風呂を沸かす給湯機器等がある。
【００１７】
空調機構５０は、例えば、空気を加熱又は冷却する空気調和用の熱交換器と、空気を加湿する加湿器と、空気を屋内の各領域に送るためのファンを有する送風機と、送風機による空気の流れを各領域に導く分岐を有するエアダクトと、エアダクト等において空気を導く経路の開閉のための複数の弁と、エアダクトからの空気を屋内の各領域へ送出する複数のエア吹出口と、各領域間の通風のための通風機構と、熱交換器、加湿器、送風機、弁及び通風機構を制御する制御回路と、操作部とを含む。操作部は例えばリモートコントローラであり、空調機構の制御内容を指定するユーザ操作（手動制御の操作）を受け付けて制御回路に伝達する機能を有する。通風機構は、例えば領域間の空気の流通のためのファン、その通気経路（例えばガラリ等の通気口）の開口面積を変化させる機構等で構成される。制御回路は、操作部から伝達されたユーザ操作或いは制御装置１００からの指令（制御信号）に従って、熱交換器、加湿器、送風機、弁及び通風機構を制御する。空調機構５０は各種機能を有するが、ここでは特に加湿量と領域間の循環風量との制御に着目して説明する。制御回路は機能面では、図１に示すように循環風量調整部５１及び加湿量調整部５２を含んでいる。
【００１８】
循環風量調整部５１は、操作部或いは制御装置１００からの指令に応じて通風機構等を制御して住宅２０内の領域間で循環する風量を変化させる機能を担う。循環風量に係る指令は、例えば複数段階に区分したレベル値（例えば循環風量がゼロ又は最小となるレベル１から循環風量が最大となるレベル３等）を含む。例えば最大のレベル値を指定した指令を受けると循環風量調整部５１は、通風機構の通気経路の開口面積を複数段階のうち最大にし、ファンの回転数を予め定められた複数段階のうち最大にする。
【００１９】
加湿量調整部５２は、操作部或いは制御装置１００からの指令に応じて加湿器等を制御して住宅２０の各領域に送出する空気に係る加湿量を変化させる機能を担う。加湿量に係る指令は、例えば複数段階に区分したレベル値（例えば加湿量がゼロ又は最小となるレベル１から加湿量が最大となるレベル３等）を含む。加湿量調整部５２は、制御装置１００から指令を受けない状態においては、例えば、住宅２０における湿度を保つ程度に加湿するよう加湿器を制御し得る。
【００２０】
温湿度センサ７１ａ、７１ｂは、それぞれキッチン、リビングに配置され、温度及び相対湿度を測定する機能を有するセンサである。図１は、便宜上、キッチン、リビングに配置された温湿度センサ７１ａ、７１ｂのみを示すが、キッチン、リビング以外の屋内の各部屋（各領域）に温湿度センサは配置され得る。温湿度センサ７１ａ、７１ｂは、測定結果（温度及び相対湿度）を出力し、その測定結果は、制御装置１００に伝達される。なお、各温湿度センサ７１ａ、７１ｂが測定結果を制御装置１００に直接伝達する他に、転送装置（不図示）を空調制御システム１０に設けて、その転送装置が各温湿度センサ７１ａ、７１ｂからの測定結果を受信して制御装置１００に転送することとしてもよい。図２に、制御装置１００が、各温湿度センサ７１ａ、７１ｂから伝達される測定結果（温度及び相対湿度）の例を示す。
【００２１】
制御装置１００は、温湿度センサ７１ａ、７１ｂによる測定結果を取得して将来の各領域の相対湿度を予測し予測結果に基づいて空調機構５０を制御する装置である。制御装置１００は、例えば、メモリ、通信回路及びプロセッサ（マイクロプロセッサ）を備えるコンピュータである。メモリは、プログラム及びデータを予め保持しているＲＯＭ、プログラムの実行に際してデータ等の記憶に利用するためのＲＡＭ等であり、例えば不揮発性メモリを含んでいてもよい。プロセッサは、メモリに格納されたプログラムを実行することにより通信回路等を制御して各種処理を行う。通信回路は、無線或いは有線で通信するための回路である。この通信回路により、制御装置１００は、各温湿度センサ７１ａ、７１ｂ、及び、空調機構５０と通信可能である。また、制御装置１００は、データの記憶等のためのハードディスク装置等を有してもよく、ユーザによる入力操作を受け付けるための入力装置（キーボード、タッチパネル等）を有してもよい。また、制御装置１００は、表示装置（ディスプレイ）を有してもよい。
【００２２】
制御装置１００は、空調機構５０を制御する空調制御方法としての空調制御処理を実行するために、機能面では、図１に示すように予定情報取得部１１０、予測部１２０及び制御部１３０を備える。この空調制御方法では、屋内の一部の領域が過加湿の状態（相対湿度が人の快適範囲を超える状態）となることを抑制するために、将来の住宅２０の各領域の相対湿度を予測し予測結果に基づいて空調機構５０を制御する。
【００２３】
予定情報取得部１１０は、通信回路、プログラムを実行するプロセッサ等により実現される。予定情報取得部１１０は、水蒸気を発生する機能が機器８０により実行される予定の時期を示す予定情報を取得する機能を有する。この予定情報は、制御装置１００が将来のキッチンの相対湿度を予測するために用いられる。キッチンに配置された機器８０は、例えば、ユーザが設定した時刻に設定した炊飯量の米を炊飯する炊飯器である。図３に、予定情報取得部１１０が取得する予定情報の一例を示す。同図に示すように、予定情報は、水蒸気を発生する炊飯機能が実行される時期（炊飯時刻）を示す情報である。同図に示す一例では、予定情報は更に炊飯量を示している。機器８０が炊飯量をユーザが任意に設定可能な炊飯器である場合において、発生する水蒸気の量に関係する炊飯量を予定情報に含ませることは有用である。炊飯量と炊飯に応じて発生する水蒸気量との間には一定の関係があるため、炊飯機能が実行される際に発生する水蒸気量を特定する情報として炊飯量が将来のキッチンの相対湿度の予測に用いられる。予定情報取得部１１０は、ＨＡＮ（Home Area Network）等を介して機器８０から受信することで予定情報を取得し得る。なお、予定情報取得部１１０は、炊飯の時刻及び炊飯量についてのユーザの入力操作を受け付けること等により予定情報を取得してもよい。
【００２４】
予測部１２０は、プログラムを実行するプロセッサ等により実現される。予測部１２０は、予め定められた予測アルゴリズムに従った予測処理を実行することで、将来における屋内の複数領域それぞれ（住宅２０の各部屋）の相対湿度を予測する機能を有する。予測処理は、一定周期（例えば１時間毎）等に繰り返し実行されることしてもよいし、例えば予定情報取得部１１０により予定情報が取得された場合にその予定情報が示す炊飯時刻の一定時間前（例えば２時間前）に実行されることとしてもよい。予測処理では、例えば、予定情報取得部１１０により取得された予定情報が示す炊飯時刻を、予測対象時期（第１時期とも称する）として、第１時期における住宅２０の各領域の相対湿度を予測する。なお、炊飯時刻以外の時期を第１時期と定めてもよい。機器８０による水蒸気の発生により屋内の水蒸気量が増大して過加湿の状態が生じ得ることから、水蒸気を発生する機能が実行される時期と同時或いは比較的近いように予測対象時期（第１時期）を定めることは有用である。予測部１２０は、予測処理において、キッチン、リビング等の各領域について、その領域の相対湿度及び温度を測定した測定結果（図２参照）を温湿度センサ７１ａ、７１ｂ等から取得してその測定結果に基づいて各領域の相対湿度を予測する。なお、制御装置１００では、例えば図２に例示した測定結果としての温度及び相対湿度に、測定した温湿度センサを識別する情報である温湿度センサＩＤを対応付けてメモリ等に記憶し、温湿度センサＩＤにより領域を区別する。予測処理では、予定情報が示す時期（炊飯時刻）に機器８０により発生する水蒸気の量を、予定情報が示す炊飯量に基づいて特定して用いることで、第１時期におけるキッチンの相対湿度の予測を行う。予測処理については、後に図５を用いて詳しく説明する。
【００２５】
制御部１３０は、通信回路、プログラムを実行するプロセッサ等により実現される。制御部１３０は、予測部１２０により予測された第１時期における住宅２０の各領域の相対湿度に基づいて、一定条件下で第１時期に先行する第２時期に指令（制御信号）を送信することで空調機構５０の制御を行う機能を有する。空調機構５０の制御を行う条件は、一部領域で過加湿が生じると予測されるか否かに係る条件である。即ち、制御部１３０は、予測部１２０により予測された住宅２０の各部屋（各領域）のうちの一の領域の相対湿度が所定上限値Ｈｍａｘより高い場合には、予測されたその一の領域の相対湿度と予測された他の領域の相対湿度との差に応じて加湿量及び循環風量の少なくとも一方に係る制御内容を特定し、特定した制御内容で第２時期に空調機構５０を制御する。所定上限値Ｈｍａｘは、人にとって快適な相対湿度の範囲（例えば４０％〜６０％）の上限値（６０％）であり、相対湿度がＨｍａｘを超えると過加湿（過加湿状態）に該当する。
【００２６】
（動作）
以下、上述の構成を備える空調制御システム１０の動作例について、制御装置１００の動作を中心に説明する。
【００２７】
図４は、制御装置１００における空調制御処理の一例を示すフローチャートであり、図５は、空調制御処理の一部である予測処理の一例を示すフローチャートである。以下、図４及び図５に即して空調制御処理を説明する。
【００２８】
制御装置１００は、予定情報取得部１１０により、予定情報を取得する（ステップＳ１１）。この予定情報は、水蒸気を発生する機能（例えば炊飯機能）を有する機器８０におけるその機能の実行予定時期（例えば炊飯時刻）と水蒸気量を特定する情報（例えば炊飯量）を示す。制御装置１００は、予定情報が示す時期に応じて予測対象時期（第１時期）を特定し（ステップＳ１２）、予測部１２０により、住宅２０の各部屋（各領域）の相対湿度を予測する予測処理を行う（ステップＳ１３）。以下、図５に即して、ステップＳ１３での予測処理の詳細な処理内容（ステップＳ１３１〜Ｓ１３４）を説明する。
【００２９】
予測部１２０は、温湿度センサ７１ａ、７１ｂ等から住宅２０の各領域における温度及び相対湿度の測定結果を取得する（ステップＳ１３１）。
【００３０】
次に、予測部１２０は、住宅２０の各領域の温度及び相対湿度に基づいて各領域の現在の水蒸気量を算定する（ステップＳ１３２）。例えば、ある領域（キッチン等）について測定された温度（℃）及び相対湿度（％）とから従来知られた近似式又は対応表等に基づき重量絶対湿度（ｇ／ｋｇ（ＤＡ））を算出し、その領域（部屋）の容積（ｍ３）と乾燥空気の密度（ｋｇ／ｍ３）とからその領域に含まれる水蒸気量（ｇ）を算定する。なお、予測部１２０は、例えば住宅２０の各領域の容積値、乾燥空気の密度値等について予めメモリ等に保持しておき予測処理の演算において利用し得る。
【００３１】
また、予測部１２０は、第１時期（予測対象時期）における住宅２０の各領域の温度を推定する（ステップＳ１３３）。この第１時期の温度の推定には、従来知られた各種の推定方法を用い得る。例えば、過去の一定期間（例えば一週間等）に亘り例えば１時間毎等の間隔で逐次温湿度センサから測定結果（温度）を収集し、測定結果に対して統計処理等を施して時間帯毎の屋内温度の変化の傾向を導出して、その傾向を第１時期の温度の推定に利用してもよい。ここでは、説明の便宜上、単純な一例として、第１時期における住宅２０の各領域の温度を、ステップＳ１３１で取得された測定結果である各領域の温度と同じであると推定することとして、説明を続ける。
【００３２】
次に、予測部１２０は、住宅２０の領域毎に、ステップＳ１３３で推定した温度と、ステップＳ１３２で算定した水蒸気量とから第１時期における相対湿度を予測する（ステップＳ１３４）。但し、予定情報に対応して機器８０が水蒸気を発生すると推測される領域（例えば炊飯器の炊飯機能により水蒸気が発生するキッチン）については、ステップＳ１３２で算定した水蒸気量に、予定情報で特定される水蒸気量（例えば炊飯量に対応して定まる水蒸気量）を加える。例えば、予測部１２０は、キッチンの第１時期における相対湿度は、ステップＳ１３３で推定した温度と、ステップＳ１３２で算定した水蒸気量及び予定情報で特定される水蒸気量の和とから予測する。第１時期における各領域の重量絶対湿度は、その第１時期における水蒸気量（ステップＳ１３２で算定した水蒸気量であり、機器８０が水蒸気を発生する領域については予定情報で特定される水蒸気量との和である）とその領域の容積値と乾燥空気の密度値とから算出できる。そして、予測部１２０は、その算出した第１時期における各領域の重量絶対湿度から、ステップＳ１３３で推定した温度に基づいて、各領域の相対湿度を算定することで予測を行う。
【００３３】
以下、図４に即した説明に戻る。ステップＳ１３で予測部１２０により予測された住宅２０の各領域の第１時期における相対湿度（予測相対湿度と称する）に基づいて、制御部１３０は、住宅２０の複数領域のうちいずれか一領域の予測相対湿度が所定上限値Ｈｍａｘより高いか否かを判定する（ステップＳ１４）。いずれの領域の予測相対湿度も所定上限値Ｈｍａｘより高くない場合には、制御部１３０は空調機構５０に指令（制御信号）を送信することなく、空調制御処理を終える。
【００３４】
ステップＳ１４でいずれか一領域の予測相対湿度が所定上限値Ｈｍａｘより高いと判定した場合には、制御部１３０は、その一領域と他のいずれかの領域の予測相対湿度の差（予測相対湿度差）が所定閾値Ｈｄｉｆより大きいか否かを判定する（ステップＳ１５）。即ち、制御部１３０は、その一領域の予測相対湿度と、他の各領域の予測相対湿度うち一領域の予測相対湿度との差（予測相対湿度差）が最大となる他の領域に係るその予測相対湿度差が所定閾値Ｈｄｉｆより大きいか否かを判定する。住宅２０の温湿度センサを設置した部屋（領域）が２つしかない場合においては、制御部１３０は、その２つの領域における予測相対湿度差が所定閾値Ｈｄｉｆより大きいか否かを判定する。
【００３５】
ステップＳ１５で予測相対湿度差が所定閾値Ｈｄｉｆより大きいと判定した場合には、制御部１３０は、屋内の循環風量を増加させることを空調機構５０に対する制御内容として特定する（ステップＳ１６）。そして、制御部１３０は、ステップＳ１５で所定閾値Ｈｄｉｆと比較した予測相対湿度差に応じて空調機構５０を制御する制御タイミング（第２時期）を特定する（ステップＳ１７）。制御部１３０は、例えば、図６に示すような予測相対湿度差と制御タイミング（第１時期に先行する時間）とを予め対応付けてなる対応情報に基づいて、第１時期より早い第２時期を特定する。対応情報は、例えば、住宅２０の部屋（領域）間の相対湿度に差がある場合に屋内の循環風量を増加させてその差を十分に小さくするために要する時間に鑑みて規定されている。屋内の循環風量が増加すると、相対湿度の高い部屋（領域）の湿潤な空気と相対湿度の低い部屋（領域）の乾燥した空気とが混ざることで、各領域の相対湿度は適切に調整され得る。
【００３６】
続いて、制御部１３０は、ステップＳ１７で特定した第２時期が到来した時に、ステップＳ１６で特定した制御内容を示す指令（制御信号）を空調機構５０に送信することで空調機構５０を制御する（ステップＳ１８）。循環風量を増加させる指令は、例えば循環風量の最大のレベル値（例えばレベル３等）を指定することでなされる。これに対して、空調機構５０の循環風量調整部５１は、屋内の循環風量を増加させるように通風機構を制御する。
【００３７】
また、ステップＳ１５で予測相対湿度差が所定値Ｈｄｉｆよりも大きくないと判定した場合には、制御部１３０は、屋内への加湿量を低減させることを空調機構５０に対する制御内容として特定する（ステップＳ１９）。そして、制御部１３０は、ステップＳ１４での判定において所定上限値Ｈｍａｘより大きい予測相対湿度となった一領域のその予測相対湿度を人に快適な範囲に下げるために要する時間だけ、第１時期より早い時期を、空調機構５０を制御する制御タイミング（第２時期）として特定する（ステップＳ２０）。
【００３８】
続いて、制御部１３０は、ステップＳ２０で特定した第２時期が到来した時に、ステップＳ１９で特定した制御内容を示す指令（制御信号）を空調機構５０に送信することで空調機構５０を制御する（ステップＳ１８）。加湿量を低減させる指令は、例えば加湿量がゼロ又は最小となるレベル値（例えばレベル１等）を指定することでなされる。これに対して、空調機構５０の加湿量調整部５２は、加湿量を低減させるように加湿器等を制御する。
【００３９】
このように制御装置１００が空調制御処理を行うことで空調制御システム１０により、住宅２０の各部屋（各領域）の相対湿度が人にとって快適な範囲を超える過加湿が抑制され得る。この空調制御処理（図４、図５参照）を行う場合と行わない場合とにおけるキッチン及びリビングの相対湿度の時間的変化の相違を図７Ａ及び図７Ｂに示す。相対湿度のグラフにおいて人に快適な相対湿度範囲の上限値Ｈｍａｘと下限値Ｈｍｉｎを水平破線で示している。図７Ａでは、図３に示した予定情報を前提として１８時にキッチンに機器８０（炊飯器）が水蒸気を発生する例に基づいて、キッチンの相対湿度の時間的変化について表している。キッチンの相対湿度変化例Ｇ０１は、空調制御処理を行う場合について表し、キッチンの相対湿度変化例Ｇ０２は、空調制御処理を行わなかったと仮定した場合について表している。相対湿度変化例Ｇ０２では、炊飯器により発生する水蒸気の影響でキッチンの相対湿度が、１８時の後において人に快適な相対湿度の範囲の上限である所定上限値Ｈｍａｘを超える。これに対して、相対湿度変化例Ｇ０１では空調制御処理により１８時に先行して屋内の循環風量の増大或いは加湿量の低減の制御が行われるため、１８時に炊飯器により水蒸気が発生してもキッチンの相対湿度は所定上限値Ｈｍａｘを超えない。図７Ｂでは、リビングの相対湿度変化例Ｇ１１は、空調制御処理を行う場合について表し、リビングの相対湿度変化例Ｇ１２は、図７Ａに示すキッチンの炊飯器による水蒸気の発生に先行して空調制御処理により加湿量の低減の制御が行われた場合のリビングの相対湿度の時間的変化について表している。
【００４０】
なお、空調制御システム１０では、制御装置１００が図４等に示す空調制御処理を行うことで、一定条件下で適時に空調機構５０を制御するので、仮に常時に最大風量で屋内の空気を循環させることとした場合に比べてエネルギー消費量を低減できる。
【００４１】
（実施の形態２）
以下、空調制御システム１０の一部を変形して、住宅２０の外部に所在するサーバから気象予報情報を取得して利用することで屋内の各部屋（各領域）の将来の相対湿度を予測するようにした空調制御システム１０ａについて説明する。
【００４２】
（構成）
図８は、本実施の形態に係る空調制御システム１０ａの概略構成を示す図である。同図には、住宅２０外部のサーバ３０を付記している。同図に示す空調制御システム１０ａの構成要素のうち上述した空調制御システム１０の構成要素と同様のものについては、図１と同じ符号を付しており、説明を省略する。
【００４３】
空調制御システム１０ａは、空調機構５０、制御装置１００ａ及び温湿度センサ７１ａ、７１ｂを含んで構成される。
【００４４】
制御装置１００ａは、実施の形態１で示した制御装置１００を部分的に変形したものであり、インターネット等の広域ネットワーク３１を介して、住宅２０の外部のサーバ３０と通信を行う。ここで特に説明しない点については、制御装置１００ａは、制御装置１００と同様である。サーバ３０は、ウェブサーバ機能等を有するコンピュータであり、例えば行政機関、民間団体等に運用され、測定された各種気象データに基づいて予測した各地域における将来の気温等を示す気象予報情報を提供する。
【００４５】
制御装置１００ａは、サーバ３０から気象予報情報を取得し、温湿度センサ７１ａ、７１ｂから測定結果を取得し、これらの取得した情報に基づいて将来の住宅２０の各領域の相対湿度を予測して予測結果に基づいて空調機構５０を制御する装置である。制御装置１００ａは、制御装置１００と同様のハードウェア構成を備え、ユーザによる入力操作を受け付けるための入力装置（キーボード、タッチパネル等）を有する。また、制御装置１００ａは、ディスプレイを有してもよい。
【００４６】
制御装置１００ａは、空調機構５０を制御する空調制御方法としての空調制御処理を実行するために、機能面では、図８に示すように予定情報取得部１１０、予測部１２０ａ、制御部１３０、気象予報情報取得部１４０及び断熱性能情報取得部１５０を備える。
【００４７】
予測部１２０ａは、実施の形態１で示した予測部１２０を一部変形したものであり、プログラムを実行するプロセッサ等により実現される。予測部１２０ａは、予測部１２０と同様に、予め定められた予測アルゴリズムに従った予測処理を実行することで、将来における屋内の複数領域それぞれ（住宅２０の各部屋）の相対湿度を予測する。但し、予測部１２０の予測処理と相違して、予測部１２０ａが実行する予測処理では、予測対象時期（第１時期）における屋内の各領域の相対湿度の予測のために用いる第１時期における各領域の温度を、気象予報情報に基づいて推定する。
【００４８】
気象予報情報取得部１４０は、プログラムを実行するプロセッサ、メモリ、通信回路等により実現される。気象予報情報取得部１４０は、制御装置１００ａに予め設定された住宅２０の所在地域の識別情報を参照し、サーバ３０にアクセスしてその地域に対応した気象予報情報を受信することで気象予報情報を取得して予測部１２０ａに伝える機能を有する。図９に、気象予報情報の一例を示す。同図で気温をグラフで表現したように、気象予報情報は、将来の一定期間に亘る各時刻の気温（外気温）を示す。
【００４９】
断熱性能情報取得部１５０は、プログラムを実行するプロセッサ、メモリ、入力装置等により実現され、ユーザの操作を受け付けることで、住宅２０の各領域の断熱性能を示す断熱性能情報を取得して予測部１２０ａに伝える機能を有する。図１０に、断熱性能情報の一例を示す。同図の例では、断熱性能を２段階に区分したレベルで表しており、キッチンが低レベル、リビングが高レベルの断熱性能を有することを示している。断熱性能情報取得部１５０は、例えば、制御装置１００ａがディスプレイを有する場合において、そのディスプレイに各部屋の特徴（壁の材質、窓のサイズ、数量、日当たりの良さの程度等）に関するユーザ（住宅２０の住人等）への質問を表示してもよい。この質問への回答の入力を入力装置で受けて、断熱性能情報取得部１５０は、その回答に応じて予め定めた演算により断熱性能を算出することで、断熱性能情報の取得を行ってもよい。断熱性能情報が示す屋内の各領域の断熱性能は、その領域の温度に対して屋外の気温（外気温）が影響を与える程度を示す。このため、断熱性能情報は、予測部１２０ａで、気象予報情報が示す外気温から屋内の各領域の温度を推定する際に利用される。予測部１２０ａは、例えば、外気温と屋内の領域の温度との関係が図１１に示すように断熱性能によって相違した一定関係を有するものとして、この一定関係を前提とした演算により屋内の各領域の温度の推定を行う。
【００５０】
（動作）
以下、上述の構成を備える空調制御システム１０ａの動作例について、制御装置１００ａの動作を中心に説明する。
【００５１】
図１２は、制御装置１００ａにおける空調制御処理の一例を示すフローチャートであり、図１３は、空調制御処理の一部である予測処理の一例を示すフローチャートである。以下、図１２及び図１３に即して空調制御処理を説明する。なお、図１２及び図１３に示す処理ステップのうち実施の形態１で示した処理ステップと同じものについては、図４及び図５と同じ符号を付しており、説明を適宜省略する。
【００５２】
制御装置１００ａは、断熱性能情報取得部１５０によりユーザの操作を受け付けることで断熱性能情報を取得する（ステップＳ３０）。なお、制御装置１００ａは、過去に断熱性能情報を取得している場合において、ステップＳ３０での処理を省略してもよい。ユーザが空調制御システム１０ａに対して断熱性能情報を与えるための操作を一度行えば、制御装置１００ａは、取得した断熱性能情報を、メモリ、ハードディスク装置等に保存して繰り返し利用し得るからである。
【００５３】
次に制御装置１００ａは、予定情報取得部１１０により、予定情報を取得する（ステップＳ１１）。また、制御装置１００ａは、気象予報情報取得部１４０により、サーバ３０から気象予報情報を取得する（ステップＳ１２）。
【００５４】
制御装置１００ａは、予定情報が示す時期に応じて予測対象時期（第１時期）を特定し（ステップＳ３２）、予測部１２０ａにより、住宅２０の各部屋（各領域）の相対湿度を予測する予測処理を行う（ステップＳ３３）。なお、気象予報情報が示す将来の気温との関係で第１時期を特定してもよいし、予定情報を用いずに一定周期で到来する時期を第１時期として特定してもよいが、この例では、予定情報が示す時期に応じて第１時期を特定する。以下、図１３に即して、ステップＳ３３での予測処理の詳細な処理内容を説明する。
【００５５】
予測部１２０ａは、温湿度センサ７１ａ、７１ｂ等から住宅２０の各領域における温度及び相対湿度の測定結果を取得し（ステップＳ１３１）、その各領域の温度及び相対湿度に基づいて各領域の現在の水蒸気量を算定する（ステップＳ１３２）。
【００５６】
次に、予測部１２０ａは、ステップＳ３０、Ｓ３１でそれぞれ取得した気象予報情報及び断熱性能情報に基づいて、第１時期における住宅２０の各領域の温度を推定する（ステップＳ３３１）。予測部１２０ａは、第１時期における屋内の各領域の温度を、断熱性能情報が示す各領域の断熱性能に基づいて推定すべく、気象予報情報により各領域の温度に関連する第１時期或いはその前の一定期間の外気温を特定して、推定に利用する。
【００５７】
次に、予測部１２０ａは、住宅２０の領域毎に、ステップＳ３３１で推定した温度と、ステップＳ１３２で算定した水蒸気量（但し機器８０が水蒸気を発生すると推測される領域では予定情報で特定される水蒸気量との和）とから第１時期における相対湿度を予測する（ステップＳ１３４）。
【００５８】
以後、予測部１２０ａにより予測された住宅２０の各領域の第１時期における相対湿度（予測相対湿度）に基づいて、制御部１３０は、実施の形態１と同様に一定条件下で空調機構５０を制御する（図１２のステップＳ１４〜Ｓ２０）。
【００５９】
このように制御装置１００ａが空調制御処理を行うことで空調制御システム１０ａにより、住宅２０の各部屋（各領域）の相対湿度が人にとって快適な範囲を超える過加湿が抑制され得る。
【００６０】
なお、屋内に水蒸気を発生する機器８０がない場合等においても、上述した空調制御処理は、有効に機能する。屋内に水蒸気を発生する機器８０がない場合には、制御装置１００ａは、予定情報の取得を省略してもよく、例えば外気温がある程度低くなる時間帯（例えば夕方等）或いは任意の他の時間帯を予測対象時期（第１時期）と定めてもよい。このような空調制御処理を行わない場合には、外気温の時間的な変動に伴い住宅２０の一部の部屋（領域）だけが特に低い温度になったような場合にその領域の相対湿度が上昇して、過加湿の状態となり得る。これに対して、上述の空調制御処理では、気象予報情報が示す外気温に基づく予測及び制御により、過加湿の抑制が可能となる。
【００６１】
この空調制御処理（図１２、図１３参照）を行う場合と行わない場合とにおけるキッチン及びリビングの相対湿度の時間的変化の相違を図１４Ａ及び図１４Ｂに示す。相対湿度のグラフにおいて人に快適な相対湿度範囲の上限値Ｈｍａｘと下限値Ｈｍｉｎを水平破線で示している。ここでは、図１０に例示した断熱性能情報が示すように、キッチンの断熱性能が低レベルで、リビングの断熱性能が高レベルであることを前提とする。図１４Ａでは、キッチンの温度及び相対湿度の時間的変化について表している。キッチンの温度変化例Ｇ３１は、夕方の外気温の低下に伴って、断熱性能が低いキッチンの温度が１６時頃から急速に低くなる様子を表している。キッチンの相対湿度変化例Ｇ３２は、空調制御処理を行う場合について表し、キッチンの相対湿度変化例Ｇ３３は、空調制御処理を行わなかったと仮定した場合について表している。相対湿度変化例Ｇ３３では、キッチンの温度の低下の影響でキッチンの相対湿度が、１７時の後において人に快適な相対湿度の範囲の上限である所定上限値Ｈｍａｘを超える。即ち、キッチンの相対湿度が１７時の後を予測対象時期とした場合に所定上限値Ｈｍａｘを超えるので、空調制御処理としては、１７時より早い時期（１５時頃）に空調機構５０を制御して、屋内の循環風量の増大或いは加湿量の低減の制御が行われる。従って、キッチンの相対湿度変化例Ｇ３２では空調制御処理により１７時に先行して１５時頃に屋内の循環風量の増大或いは加湿量の低減の制御が行われるため、１７時の後においてもキッチンの相対湿度は所定上限値Ｈｍａｘを超えない。ここでは、空調制御処理として屋内の循環風量の増大の制御が行われるものとする。図１４Ｂでは、リビングの温度及び相対湿度の時間的変化について表している。リビングの温度変化例Ｇ４１は、断熱性能が高いリビングの温度が、夕方の外気温の低下の影響をあまり多く受けず、急速に低下しない様子を示している。リビングの相対湿度変化例Ｇ４２は、空調制御処理を行う場合について表し、空調制御処理により１５時頃に屋内の循環風量の増大の制御がなされるため、キッチンの比較的湿潤な空気が流入する等により、相対湿度変化例Ｇ４３と相違して、１５時頃に相対湿度が多少上昇していることを表している。
【００６２】
（他の実施の形態等）
以上、実施の形態１、２により空調制御システム１０、１０ａについて説明したが、上述した実施の形態は一例にすぎず、各種の変更、付加、省略等が可能であることは言うまでもない。
【００６３】
上述の実施の形態では、空調制御システム１０、１０ａが空調機構５０を含むこととしたが、空調機構５０を含まなくてもよい。この場合には、空調制御システム１０、１０ａは、外部の空調機構５０に対して制御信号を有線又は無線により送信することで空調機構５０を制御することになる。
【００６４】
また、上述した空調機構５０の通風機構は、ガラリ等の通気口の開口面積を変化させる機構、通風を行わせるファン等で構成される例を示した。しかし、ファンを省いて、通気口の開口面積の変化のみで循環風量つまり空気の循環量を変化させることとしてもよいし、開口面積を変化させる機構を省いてファンの回転数の変化のみで循環風量を変化させることとしてもよい。
【００６５】
また、上述した制御装置１００、１００ａは、例えば、住宅における電力等のエネルギー管理をするＨＥＭＳ（Home Energy Management System）におけるＨＥＭＳコントローラとしての機能を担ってもよい。ＨＥＭＳコントローラとしての機能を担う場合に、制御装置１００、１００ａは、例えば電力消費の抑制等のために、住宅における空調機構５０、機器８０、家電機器、発電装置、蓄電装置等のＨＥＭＳ機器を、ＨＡＮを介して制御する。また、制御装置１００、１００ａは、ＨＥＭＳ機器による電力の需給の状態を測定して、その測定結果に基づき住宅における電力の需給の状態を、モニター、タブレット等に表示してもよい。
【００６６】
また、上述の実施の形態では、機器８０により水蒸気を発生する機能（例えば炊飯機能）が実行される時期を示す予定情報が、水蒸気量を特定する情報（例えば炊飯量）を含む例を示したが、水蒸気量を特定する情報を含まなくてもよい。水蒸気量を特定する情報が取得されない場合においては、制御装置１００、１００ａは、その機能により発生される水蒸気量の概算値（固定値）を予め設定した予測アルゴリズムに従った予測処理を行えばよい。
【００６７】
また、上述の実施の形態では、制御装置１００が循環風量を増加させるために、循環風量の最大のレベル値（例えばレベル３等）を指定した指令を空調機構５０に送信する例を示した。しかし、これは指令の一例に過ぎない。循環風量の増加のための指令は、例えば、空調機構５０に対して現在の循環風量のレベルを相対的に増加させるように指定する指令であってもよい。また、同様に、加湿量の低減のための指令も、例えば、空調機構５０に対して現在の加湿量のレベルを相対的に低減させるように指定する指令であってもよい。また、制御装置１００、１００ａは第１時期の各領域の相対湿度の予測結果に基づいて一定条件下で空調機構５０に指令を送信するが、その指令は、例えば第１時期までの期間だけ循環風量の増加或いは加湿量の低減を行わせる期限付きの指令であってもよい。また、制御装置１００、１００ａは、循環風量の増加或いは加湿量の低減のための指令を空調機構５０に送信した後に、例えば第１時期が到来した時点でその指令に係る制御を停止するように指示する指令を送信してもよい。
【００６８】
また、上述の実施の形態では、制御装置１００、１００ａが入力装置及びディスプレイを備え得ることを示した。しかし制御装置１００、１００ａが入力装置及び表示装置を備えず、外部装置（例えばタブレット、スマートフォン等）と通信することでその外部装置を、表示のためのディスプレイとして、或いは、予定情報、断熱性能情報等の取得のための入力装置として、用いることとしてもよい。
【００６９】
また、上述の実施の形態では、空調制御システム１０、１０ａが空調機構５０を制御して住宅２０の内部の湿度及び循環風量を調整する例を示したが、住宅２０以外の事務所、ビルその他の建築物の屋内の湿度及び循環風量を調整するものであってもよい。また、各領域の例として、リビング、キッチンといった部屋を用いたが、部屋を複数の領域に分けてもよい。また、必ずしも領域間が壁等で完全に空気の流通を遮断するように区切られている必要はない。
【００７０】
また、上述の実施の形態では、制御装置１００、１００ａが、加湿量を低減させるか循環風量を増加させるかを選択的に指定する指令により空調機構５０を制御する例を示したが、各領域間の相対湿度の差に応じて循環風量の増加と加湿量の低減との両方を行わせるように空調機構５０を制御してもよい。
【００７１】
また、上述の実施の形態で示した予測処理（図５、図１３参照）は、予測対象時期（第１時期）における住宅２０の各領域の相対湿度を予測するための処理の一例に過ぎず、各領域の相対湿度を予測するために用いる演算、処理手順等は他のものに置き換えてもよい。
【００７２】
また、上述の実施の形態では、住宅２０の温湿度センサを設置した領域が２つである場合においては、制御装置１００の制御部１３０は、２つの領域における予測相対湿度差が所定閾値Ｈｄｉｆより大きいか否かを判定して、屋内の循環風量の増大を行うか加湿量の低減を行うかを選択することを示した。このとき、制御装置１００の予測部１２０では、例えば、その２つの領域である第１領域（例えばキッチン）及び第２領域（例えばリビング）それぞれについて、その領域の相対湿度及び温度を測定した測定結果を取得してその測定結果に基づいてその領域の水蒸気量を算定し、第１時期におけるその領域の温度を推定し、第１時期までに水蒸気が発生すると推測される場合においてはその発生する水蒸気の量と算定した水蒸気量との和及び推定した第１時期におけるその領域の温度から第１時期におけるその領域の相対湿度を予測し、第１時期までに水蒸気が発生すると推測されない場合においては算定した水蒸気量及び推定した第１時期におけるその領域の温度から、第１時期におけるその領域の相対湿度を予測する。そして制御部１３０は、予測部１２０により予測された第１領域の相対湿度が所定上限値Ｈｍａｘより高い場合において、予測部１２０により予測された第１領域の相対湿度と予測部１２０により予測された第２領域の相対湿度との差が所定閾値Ｈｄｉｆより大きいときには、屋内の循環風量を増加させることを制御内容として特定することになる。
【００７３】
また、上述の実施の形態２では、制御装置１００ａが、断熱性能情報をユーザによる入力装置の操作を受けることで取得することとしたが、通信又は記録媒体からの読み出し等といった他の方法で取得してもよい。
【００７４】
また、上述の実施の形態２では、断熱性能情報が、住宅２０の各部屋（各領域）それぞれの断熱性能を区別する例を示したが、これは有用な一例に過ぎず、例えば各部屋を区別することなく住宅２０全体についての断熱性能を示す情報であってもよい。
【００７５】
また、上述の実施の形態２で示したサーバ３０は、制御装置１００ａの機能の一部を分担してもよい。また、上述の空調制御システム１０、１０ａにおける予測処理を含む空調制御処理の手順（図４、図５、図１２、図１３参照）の実行順序は、必ずしも、上述した通りの順序に制限されるものではなく、発明の要旨を逸脱しない範囲で、実行順序を入れ替えたりその一部を省略したりすることができる。また、上述の空調制御処理の全部又は一部は、制御装置１００、１００ａ、サーバ３０或いは他の装置のハードウェアにより実現されても、ソフトウェアを用いて実現されてもよい。なお、ソフトウェアによる処理は、制御装置１００、１００ａ或いは他の装置に含まれるプロセッサがメモリに記憶された制御用のプログラムを実行することにより実現されるものである。また、そのプログラムを記録媒体に記録して頒布や流通させてもよい。例えば、頒布された制御プログラムを装置にインストールして、装置のプロセッサに実行させることで、装置に空調制御処理の全部又は一部を行わせることが可能となる。
【００７６】
また、上述した実施の形態で示した構成要素及び機能を任意に組み合わせることで実現される形態も本発明の範囲に含まれる。
【００７７】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００７８】
以下、本発明の一態様に係る空調制御システム、及び、この空調制御システムに関連する空調制御方法及び制御プログラムの構成、変形態様、効果等について示す。
【００７９】
（１）本発明の一態様に係る空調制御システムは、屋内の湿度及び循環風量を調整可能な空調機構５０を制御する空調制御システム１０、１０ａであって、将来の第１時期（予測対象時期）における屋内（例えば住宅２０の内部）の複数領域（例えばキッチン、リビング等）それぞれの相対湿度を予測する予測部１２０、１２０ａと、予測部１２０、１２０ａにより予測された屋内の複数領域のうちの一の領域の相対湿度が所定上限値Ｈｍａｘより高い場合には、予測部１２０、１２０ａにより予測されたその一の領域の相対湿度と予測部１２０、１２０ａにより予測された他の領域の相対湿度との差に応じて加湿量及び循環風量の少なくとも一方に係る制御内容を特定し、特定した制御内容で第１時期より早い第２時期に空調機構５０を制御する制御部１３０とを備える。
【００８０】
この構成により、屋内の一部の領域で人にとっての相対湿度の快適範囲の上限を超える過加湿が発生することが抑制され得る。
【００８１】
（２）例えば、屋内の複数領域は、第１領域（例えばキッチン）及び第２領域（例えばリビング）を含み、制御部１３０は、予測部１２０、１２０ａにより予測された第１領域の相対湿度が所定上限値Ｈｍａｘより高い場合において、予測部１２０、１２０ａにより予測された第１領域の相対湿度と予測部１２０、１２０ａにより予測された第２領域の相対湿度との差が所定閾値Ｈｄｉｆより大きいときには、屋内の循環風量を増加させることを空調機構５０に対する制御内容として特定することとしてもよい。なお、予め規定された複数段階のうち一定以上のレベル（例えば最高レベル）に相当する循環風量にさせることを、屋内の循環風量を増加させることと看做し得る。
【００８２】
これにより、予測された相対湿度が所定上限値Ｈｍａｘより高い領域の比較的湿潤な空気が他の領域の空気と混ざり、その予測された相対湿度が高い領域の相対湿度を低下するようになる。この結果として、その領域の相対湿度が所定上限値Ｈｍａｘを超えることが抑制され得る。
【００８３】
（３）例えば、制御部１３０は、予測部１２０、１２０ａにより予測された第１領域の相対湿度が所定上限値Ｈｍａｘより高い場合において、予測部１２０、１２０ａにより予測された第１領域の相対湿度と予測部１２０、１２０ａにより予測された第２領域の相対湿度との差が所定閾値Ｈｄｉｆより小さいときには、屋内の循環風量を増加させずに加湿量を低減させることを空調機構５０に対する制御内容として特定することとしてもよい。なお、予め規定された複数段階のうち一定以下のレベル（例えば最低レベル）に相当する加湿量にさせることを、加湿量を低減させることと看做し得る。また、領域間の相対湿度の差が所定閾値Ｈｄｉｆと等しい場合に、制御部１３０は、循環風量の増加及び加湿量の低減のいずれか一方又は両方を行い得る。
【００８４】
これにより、予測された相対湿度が所定上限値Ｈｍａｘより高い領域の相対湿度を低下させることができ、この結果として、その領域の相対湿度が所定上限値Ｈｍａｘを超えることが抑制され得る。
【００８５】
（４）例えば、空調制御システム１０、１０ａは、第１領域に水蒸気を発生させる機能が機器８０（例えば、炊飯器等）により実行される予定の時期を示す予定情報を取得する予定情報取得部１１０を備え、予測部１２０、１２０ａは、予定情報取得部１１０により取得された予定情報が示す時期に機器８０により発生する水蒸気の量を、特定して用いることで、第１時期における屋内の各領域（第１領域及び第２領域）の相対湿度の予測を行うこととしてもよい。なお、機器８０は、第１領域への水蒸気の発生に影響を与えるものであれば機器８０が第１領域内に所在しなくてもよい。
【００８６】
これにより、機器８０の水蒸気を発生させる機能（例えば炊飯機能）をユーザ（屋内の人等）が任意の時期に稼働させ得るときにおいても、空調制御システム１０、１０ａは、予定情報の取得により将来の各領域の相対湿度を適切に予測し得る。この適切な予測に基づいて、屋内の一部の領域で過加湿が発生することが適切に抑制され得る。
【００８７】
（５）例えば、予定情報は、更に、第１領域に水蒸気を発生させる機能が機器８０により実行される予定の時期にその機能により発生する水蒸気量を特定する情報（炊飯量等）を含み、予測部１２０、１２０ａは、予定情報取得部１１０により取得された予定情報により特定される水蒸気量を用いて第１時期における第１領域の相対湿度についての予測を行うこととしてもよい。
【００８８】
これにより、機器８０の水蒸気を発生させる機能（例えば炊飯機能）で発生する水蒸気量がユーザの指定等で変動し得るときにおいても、空調制御システム１０、１０ａは、発生する水蒸気量を特定する情報の取得により将来の各領域の相対湿度を適切な予測し得る。
【００８９】
（６）例えば、予測部１２０、１２０ａは、予定情報取得部１１０により取得された予定情報が示す時期に応じて第１時期を定めて、第１時期における屋内の各領域の相対湿度の予測を行うこととしてもよい。例えば、予測部１２０、１２０ａは、予定情報が示す時期と略同時期、或いはその時期から一定期間（例えば１時間等）内の時期を、第１時期と定め得る。
【００９０】
これにより、空調制御システム１０、１０ａでは、機器８０が発生する水蒸気により突発的に相対湿度が上昇することに対する事前の対応を効率的に行うことが可能となる。
【００９１】
（７）例えば、予測部１２０、１２０ａは、第１領域及び第２領域それぞれについて、その領域の相対湿度及び温度を測定した測定結果を取得してその測定結果に基づいてその領域の水蒸気量を算定し、第１時期におけるその領域の温度を推定し、第１時期までに水蒸気が発生すると推測される場合においては、発生する水蒸気の量と算定した水蒸気量との和及び推定した第１時期におけるその領域の温度から、第１時期におけるその領域の相対湿度を予測し、第１時期までに水蒸気が発生すると推測されない場合においては、算定した水蒸気量及び推定した第１時期におけるその領域の温度から、第１時期におけるその領域の相対湿度を予測することとしてもよい。
【００９２】
これにより、屋内の各領域の相対湿度及び温度の測定結果を用いるため、空調制御システム１０、１０ａは、第１時期における各領域の相対湿度を比較的精度良く予測し得る。この結果として適切に過加湿の抑制がなされ得る。
【００９３】
（８）例えば、空調制御システム１０ａは、将来における屋外の気温を示す気象予報情報を取得する気象予報情報取得部１４０を備え、予測部１２０ａは、気象予報情報に基づいて、第１時期における屋内の第１領域及び第２領域それぞれの温度の推定を行うこととしてもよい。
【００９４】
これにより、外気温の影響を踏まえて、空調制御システム１０ａは、第１時期における各領域の相対湿度を比較的精度良く予測し得る。この結果として適切に過加湿の抑制がなされ得る。
【００９５】
（９）例えば、第１領域及び第２領域は屋内の互いに別の部屋であり、空調制御システム１０ａは、屋内の各部屋の断熱性能を示す断熱性能情報を取得する断熱性能情報取得部１５０を備え、予測部１２０ａは、第１領域及び第２領域それぞれについて、断熱性能情報が示すその領域に係る断熱性能を用いて、気象予報情報が示す気温から第１時期におけるその領域の温度の推定を行うこととしてもよい。
【００９６】
これにより、外気温の各部屋（各領域）に対する影響を踏まえて、空調制御システム１０ａは、第１時期における各領域の相対湿度を比較的精度良く予測し得る。
【００９７】
（１０）例えば、制御部１３０は、屋内の循環風量を増加させることを制御内容として特定する場合において、予測部１２０、１２０ａにより予測された第１領域の相対湿度と予測部１２０、１２０ａにより予測された第２領域の相対湿度との差に応じて第２時期を特定して、特定した第２時期に空調機構５０を制御することとしてもよい。例えば、第１領域と第２領域との予測された相対湿度の差が大きいほど、早い時期を第２時期として特定することが有用である。
【００９８】
これにより、将来に過加湿となると予測された屋内の一部の領域の空気が他の領域の空気と混ざってその過加湿となることを抑制するための適切な制御が可能となる。
【００９９】
（１１）例えば、制御部１３０は、予測部１２０、１２０ａにより予測された屋内の複数領域のうちの一の領域の相対湿度が所定上限値Ｈｍａｘより高い場合において、予測部１２０、１２０ａにより予測されたその一の領域の相対湿度と予測部１２０、１２０ａにより予測された他のいずれかの領域の相対湿度との差が所定閾値Ｈｄｉｆより大きいときには、屋内の循環風量を増加させることを制御内容として特定し、その一の領域の相対湿度と予測部１２０、１２０ａにより予測された他のいずれかの領域の相対湿度との差が所定閾値Ｈｄｉｆより小さいときには屋内の循環風量を増加させずに加湿量を低減させることを制御内容として特定することとしてもよい。
【０１００】
これにより、予測された相対湿度が所定上限値Ｈｍａｘより高い領域でそのように相対湿度が高くなる前に、屋内の循環風量の増加或いは加湿量の低減によって相対湿度が抑えられるようになるため、過加湿の発生が抑制され得る。
【０１０１】
（１２）例えば、空調制御システム１０、１０ａは、屋内に所定量の水蒸気を発生させる機能が機器８０により実行される予定の時期を示す予定情報を取得する予定情報取得部１１０を備え、予測部１２０、１２０ａは、予定情報取得部１１０により取得された予定情報が示す時期に機器８０により所定量の水蒸気が発生することに基づいて、屋内の各領域についての相対湿度の予測を行うこととしてもよい。
【０１０２】
これにより、機器８０の水蒸気を発生させる機能をユーザ（屋内の人等）が任意の時期に稼働させ得るときにおいても、空調制御システム１０、１０ａは、予定情報の取得により将来の各領域の相対湿度を適切に予測し得る。
【０１０３】
（１３）本発明の一態様に係る空調制御方法は、屋内の湿度及び循環風量を調整可能な空調機構５０を制御する空調制御方法であって、将来の第１時期における屋内の複数領域それぞれの相対湿度を予測する予測ステップ（例えばステップＳ１３、Ｓ３３）と、予測ステップで予測された屋内の複数領域のうちの一の領域の相対湿度が所定上限値Ｈｍａｘより高い場合には、予測ステップで予測されたその一の領域の相対湿度と予測ステップで予測された他の領域の相対湿度との差に応じて加湿量及び循環風量の少なくとも一方に係る制御内容を特定し、特定した制御内容で第１時期より早い第２時期に空調機構５０を制御する制御ステップ（例えばステップＳ１４〜Ｓ２０）とを含む。
【０１０４】
これにより、屋内の一部の領域で人にとっての相対湿度の快適範囲の上限を超える過加湿が発生することが抑制され得る。
【０１０５】
（１４）本発明の一態様に係る制御プログラムは、プロセッサを備える制御装置１００、１００ａに、屋内の湿度及び循環風量を調整可能な空調機構５０を制御する空調制御処理を実行させるための制御プログラムであって、空調制御処理は、将来の第１時期における屋内の複数領域それぞれの相対湿度を予測する予測ステップ（例えばステップＳ１３、Ｓ３３）と、予測ステップで予測された屋内の複数領域のうちの一の領域の相対湿度が所定上限値Ｈｍａｘより高い場合には、予測ステップで予測されたその一の領域の相対湿度と予測ステップで予測された他の領域の相対湿度との差に応じて加湿量及び循環風量の少なくとも一方に係る制御内容を特定し、特定した制御内容で第１時期より早い第２時期に空調機構５０を制御する制御ステップ（例えばステップＳ１４〜Ｓ２０）とを含む。
【０１０６】
この制御プログラムを、プロセッサを備えるコンピュータである制御装置１００、１００ａにインストールすれば、制御装置１００、１００ａが一定条件下で空調機構５０を制御し、屋内の一部の領域で過加湿が発生することを抑制し得る。
【符号の説明】
【０１０７】
１０、１０ａ  空調制御システム
５０  空調機構
８０  機器
１００、１００ａ  制御装置
１１０  予定情報取得部
１２０、１２０ａ  予測部
１３０  制御部
１４０  気象予報情報取得部
１５０  断熱性能情報取得部
【図１】
2017101859.tif 000003
【図２】
2017101859.tif 000004
【図３】
2017101859.tif 000005
【図４】
2017101859.tif 000006
【図５】
2017101859.tif 000007
【図６】
2017101859.tif 000008
【図７Ａ】
2017101859.tif 000009
【図７Ｂ】
2017101859.tif 000010
【図８】
2017101859.tif 000011
【図９】
2017101859.tif 000012
【図１０】
2017101859.tif 000013
【図１１】
2017101859.tif 000014
【図１２】
2017101859.tif 000015
【図１３】
2017101859.tif 000016
【図１４Ａ】
2017101859.tif 000017
【図１４Ｂ】
2017101859.tif 000018